(57)【要約】【課題】  車輪を取り付けた状態での設置を可能とし、設置作業時間を短縮できる高圧受電設備設置構造を提供する。【解決手段】  アングル材１０ａで箱状に形成された枠体１０に変圧器３が組み付けられ、枠体１０の下面４隅に車輪１１が取り付けられた高圧受電設備１を床に固定するためのチャンネルベース２は、車輪１１を備えた高圧受電設備１が乗り上げ可能に床に配置される底板２１と、枠体１０にボルト１３により連結部２２とを有し、底板２１は高圧受電設備１の下部に配置されて床との固定部を有すると共に、連結部２２は載置した高圧受電設備１の枠体１０の側部に近接するよう底板２１の左右端部に起立形成されて成り、高圧受電設備１がチャンネルベース２を介して床に固定される。【選択図】  図１
2019009971.tif 000002
【特許請求の範囲】
【請求項１】
アングル材で箱状に形成された枠体に高圧受電機器が組み付けられ、前記枠体の下面には複数の車輪が取り付けられた高圧受電設備を所定場所に設置する高圧受電設備設置構造であって、
前記高圧受電設備を床に固定するためのチャンネルベースを有し、
当該チャンネルベースは、車輪を備えた前記高圧受電設備が乗り上げ可能に床に配置される底板と、前記枠体に連結手段を介して連結される連結部とを有し、
前記底板は前記高圧受電設備の下部に配置されて床との固定部を有すると共に、前記連結部は載置した前記高圧受電設備の枠体の側部に近接するよう前記底板の左右端部に起立形成されて成り、
前記高圧受電設備が、前記チャンネルベースを介して床に固定されることを特徴とする高圧受電設備設置構造。
【請求項２】
前記連結部は、前記底板の左右側部を折り曲げて起立形成された帯状片であり、前記高圧受電設備の前記底板上への載置を案内するガイド部材でもあることを特徴とする請求項１記載の高圧受電設備設置構造。
【発明の詳細な説明】
【技術分野】
【０００１】
本発明は、屋内に設置される高圧受電設備に関し、特に箱状に形成された枠体に収納された高圧受電設備の設置構造に関する。
【背景技術】
【０００２】
オフィスビルや中高層の集合住宅等に設置される高圧受電設備（具体的には、５０ｋＶＡを超えて２０００ｋＶＡ以下の受変電電設備）は、建屋内に電気室が設けられてその中に設置される。
そのため、高圧受電設備を設置する際には建屋内の電気室まで受電設備機器を搬入しなければならないが、変圧器に代表されるように重量物が多いため、立方体形状或いは箱状に組み付けた枠体に設備を組み付け或いは収納して台車等で搬入したり、枠体の下部にキャスター等の車輪を取り付けることで別途台車を用いず移動を可能として搬入された（例えば、特許文献１参照）。
【先行技術文献】
【特許文献】
【０００３】
【特許文献１】特開２０１４−１０７９３６号公報
【発明の概要】
【発明が解決しようとする課題】
【０００４】
上述したように、車輪を取り付けることで重量物の搬入が台車等を使わずに可能となるが、受電設備を床に固定するためには設備設置後に車輪を取り外さなければならなかったため、設置後車輪を浮かせる等の工程が必要であった。また、アンカーボルト等で固定する作業は車輪を取り外した後になるため、設置作業に時間を要していた。
【０００５】
そこで、本発明はこのような問題点に鑑み、車輪を取り付けた状態での設置を可能とし、設置作業時間を短縮できる高圧受電設備設置構造を提供することを目的としている。
【課題を解決するための手段】
【０００６】
上記課題を解決する為に、請求項１の発明は、アングル材で箱状に形成された枠体に高圧受電機器が組み付けられ、枠体の下面には複数の車輪が取り付けられた高圧受電設備を所定場所に設置する高圧受電設備設置構造であって、高圧受電設備を床に固定するためのチャンネルベースを有し、当該チャンネルベースは、車輪を備えた高圧受電設備が乗り上げ可能に床に配置される底板と、枠体に連結手段を介して連結される連結部とを有し、底板は高圧受電設備の下部に配置されて床との固定部を有すると共に、連結部は載置した高圧受電設備の枠体の側部に近接するよう底板の左右端部に起立形成されて成り、高圧受電設備が、チャンネルベースを介して床に固定されることを特徴とする。
この構成によれば、高圧受電設備は具備している車輪により乗り上げてチャンネルベース上に載置できるため、容易に収容できる。そして、車輪が取り付けられた状態で固定されるため、車輪を取り外す必要が無く設置するための作業時間を短縮できる。また、高圧受電設備のメンテナンスや交換の際、車輪を新たに取り付ける必要が無いため、搬出作業がし易い。
更に、チャンネルベースは予め設置現場に固定しておくことができるし、高圧受電設備を設置する床の水平を事前に確認できる。
【０００７】
請求項２の発明は、請求項１に記載の構成において、連結部は、底板の左右側部を折り曲げて形成された帯状片であり、高圧受電設備の底板上への載置を案内するガイド部材でもあることを特徴とする。
この構成によれば、チャンネルベースの底板に一部が乗り上げた高圧受電設備は、左右に形成された連結部に案内されることで全体を所定部位に容易に移動でき、チャンネルベース上への設置をスムーズに行うことができる。
【発明の効果】
【０００８】
本発明によれば、高圧受電設備は具備している車輪により乗り上げてチャンネルベース上に載置できるため、容易に収容できる。そして、車輪が取り付けられた状態で固定されるため、車輪を取り外す必要が無く設置するための作業時間を短縮できる。また、チャンネルベースは予め設置現場に固定しておくことができるし、高圧受電設備を設置する床の水平を事前に確認できる。
【図面の簡単な説明】
【０００９】
【図１】本発明に係る高圧受電設備設置構造の一例を示す斜視図であある。
【図２】図１において高圧受電設備とチャンネルベースを分離した説明図であり、（ａ）は高圧受電設備、（ｂ）はチャンネルベースである。
【発明を実施するための形態】
【００１０】
以下、本発明を具体化した実施の形態を、図面を参照して詳細に説明する。図１，２は本発明に係る高圧受電設備設置構造の一例を示し、図１は全体の斜視図、図２は高圧受電設備とチャンネルベースを分離した説明図であり、（ａ）は高圧受電設備、（ｂ）はチャンネルベースを示している。ここでは、高圧受電設備のうちの重量物を代表して変圧器を載置した設備を示している。１は高圧受電設備、２はチャンネルベース、３は変圧器である。
【００１１】
尚、高圧受電設備１としては、他に遮断器、開閉器、保護継電器、コンデンサ、電力ヒューズ、計器用変成器等の高圧受電機器があり、予めアングル材１０ａで形成された枠体１０に組み付けられて、或いは単独で搬入されて、電気室内で組み付けられる。
【００１２】
高圧受電設備１は、図２に示すようにアングル材１０ａを直方体形状に連結した枠体１０の中に変圧器３等が収納、或いは組み付けられて形成され、枠体１０のうち底部を構成する四角形の底枠部１０ｂの下面４隅には車輪１１が取り付けられている。車輪１１は水平面内で回転自在なキャスターであり、枠体１０の方向転換を容易にしている。
また、底枠部１０ｂの左右側部には、チャンネルベース２と連結するための孔１２が穿設されている。
【００１３】
チャンネルベース２は、鋼板をコ字状に折り曲げて形成され、床に配置される平坦な底板２１とその左右に起立形成された連結部２２を有している。底板２１は、高圧受電設備１の枠体１０が載置されると共に床に固定される部位であり、図示しないアンカーボルトを挿通してチャンネルベース２を固定するための固定孔２３が複数箇所に穿設されている。
このように、底板２１は変圧器等の重量物が収納された状態の枠体１０が、その下部に設けられた車輪１１の作用で乗り上げできるよう鋼板の厚みのみの高さとなっている。但し、乗り上げた枠体１０が所定位置にスムーズに移動できるよう、アンカーボルトの固定孔２３は枠体１０の車輪１１が通過することのない部位に設けられている。
尚、底板２１の高圧受電設備１が挿入される前後端部は、テーパ面を設けて傾斜形成しても良く、枠体１０の車輪１１が乗り上げ易くなる。
【００１４】
連結部２２は一定の高さを有し、左右の連結部２２は平行に形成された帯状片である。具体的に、底板２１上に載置した枠体１０の底枠部１０ｂを超える高さを有し、左右の連結部２２の距離（底板の幅）は、枠体１０の幅（底枠部１０ｂの幅）に合わせて形成され、乗り上げて載置された枠体１０の左右側部が当接或いは近接して配置されるよう形成されている。
そして、適宜間隔で、枠体に連結するためのボルト挿通孔２４が穿設されている。
【００１５】
以上の如く形成された高圧受電設備１のチャンネルベース２を使用した電気室等の設置場所への設置は以下のようである。まず高圧受電設備１が設置される位置に、チャンネルベース２を固定するためのアンカーボルトが取り付けられる。アンカーボルトはチャンネルベース２に形成された固定孔２３の位置に合わせて打設される。
こうして床面に設けられたアンカーボルトをチャンネルベース２の固定孔２３に挿通してチャンネルベース２を床に固定し、別途搬入された高圧受電設備１が固定されたチャンネルベース２に載置される。高圧受電設備１は枠体１０に取り付けられている車輪１１により底板２１に乗り上げさせ、乗り上げた後は左右の連結部２２にガイドさせて載置操作し、底板２１上の所定位置まで移動したら、ボルト１３（図１に示す）により連結部２２と底枠部１０ｂとを連結し、設置作業は終了となる。
【００１６】
このように、高圧受電設備１は具備している車輪１１により乗り上げてチャンネルベース２上に載置できるため、容易に収容できる。そして、車輪１１が取り付けられた状態で固定されるため、車輪１１を取り外す必要が無く設置するための作業時間を短縮できる。また、高圧受電設備１のメンテナンスや交換の際、車輪１１を新たに取り付ける必要が無いため、搬出作業がし易い。
更に、チャンネルベース２は予め設置現場に固定しておくことができるし、高圧受電設備１を設置する床の水平を事前に確認できる。
加えて、チャンネルベース２の底板２１に一部が乗り上げた高圧受電設備１は、左右に形成された連結部２２がガイド部材となって案内されることで全体を所定部位に容易に移動でき、チャンネルベース２上への設置をスムーズに行うことができる。
【００１７】
尚、上記実施形態では、連結部２２を一様に平坦な起立片としているが、枠体１０との連結部のみ内側に折り曲げ形成、或いは突出させることで、枠体１０との接触部を少なくしても良い。チャンネルベース２は底板２１の中央部に開口部を設けて軽量化を図っても良い。
【符号の説明】
【００１８】
１・・高圧受電設備、２・・チャンネルベース、３・・変圧器、１０・・枠体、１０ａ・・アングル材、１０ｂ・・底枠部、１１・・車輪、１３・・ボルト（連結手段）、２１・・底板、２２・・連結部、２３・・固定孔（固定部）。
【図１】
2019009971.tif 000003
【図２】
2019009971.tif 000004